(57)【特許請求の範囲】
【請求項１】
熱風を乾燥機本体（1A）内に供給する熱風発生装置（8）と、
熱風を乾燥機本体（1A）外に排出する排風装置（9）と、
前記熱風発生装置（8）の上方に配設し、枠体（27）によって制御基盤等を囲んでなるコントロールボックス（26）と、
前記排風装置（9）の吸引作用によって、前記熱風発生装置（8）が生成した熱風を、上方に通風させる給風路（14）と、該給風路（14）に一端開口側を連通させて前記乾燥機本体（1A）の側部の一方側から他方側に向って横設した複数の加熱管（10）とを介して排風装置（9）まで通風する通風路と、を備え、
前記枠体（27）は、前記通風路における前記加熱管（10）の始端部の近傍位置に当接させるとともに、該当接部分に前記通風路と連通する連通部（29）を設ける一方、その側面には外気取入口（28）を設け、前記通風路の熱風通風による吸引作用によって、外気が前記外気取入口（28）からコントロールボックス（26）内に吸引された後に連通部（29）から通風路に排風されるようにしたことを特徴とする循環式穀物乾燥機。
【発明の詳細な説明】
【０００１】
【発明の属する技術分野】
本発明は、穀物、例えば、籾や麦などを乾燥させる穀物乾燥機に関するものである。
【０００２】
【従来技術】
従来、穀物に熱風を当てて乾燥させる循環式穀物乾燥機は、貯留タンク部と、熱風によって穀物を乾燥させる熱風乾燥部と、該熱風乾燥部の穀物を乾燥機外に排出させる排出部とを上方から順次重設させた乾燥機本体を有すると共に、該乾燥機本体の前面には、その搬送始端部を前記排出部に接続し、かつ、搬送終端部を前記貯留タンク部に接続して立設する昇降機を有している。さらに、前記乾燥機本体の前面には、熱風を発生させる熱風発生装置を備え、また、前記乾燥機本体の後側面には、前記熱風発生装置が発生させた熱風を熱風乾燥部内を介して吸引して乾燥機本体外に排風する排風装置を備えている。このような循環式穀物乾燥機は、乾燥運転が開始されると、穀物の含水率が所定の値になるまで乾燥機本体内を繰り返し循環させて穀物を熱風乾燥させるものである。
【０００３】
【発明が解決しようとする課題】
前記乾燥機本体の前面には、前記熱風発生装置や排風装置などを制御するコントロールボックスが備えられており、該コントロールボックスは、制御基盤等と、該制御基盤等を囲む枠体とを有している。前記循環式穀物乾燥機の稼動中、例えば、乾燥運転中においては、前記制御基盤等からの放熱によって当該コントロールボックス内が高温状態になることがある。特に、コントロールボックス内にインバータが内蔵されている場合は、インバータからの放熱によりコントロールボックス内が高温になるため、コントロールボックス内に冷却用のファンを設けて高温を防いでいるのが現状である。
【０００４】
一方、この種の循環式穀物乾燥機には、前記昇降機や排出部などを駆動させる駆動用のモータを有している。該モータは、乾燥機の稼動中に当該モータが発熱して高温になることを防ぐために冷却用のファンが一体的に構成されている。
【０００５】
今日、製品の低コスト化が望まれている中、前記循環式穀物乾燥機を低コスト化するべく、前記コントロールボックス内や前記モータに設けられたファンを廃止しても稼動に支障のない循環式穀物乾燥機の実現につき、本願発明者は鋭意研究を行ってきた。
【０００６】
本発明は、前記ファンをコントロールボックス内やモータに装備する必要のない低コスト化された循環式穀物乾燥機を提供することを技術的課題とする。
【０００７】
【課題を解決するための手段】
請求項１による循環式穀物乾燥機は、
熱風を乾燥機本体（1A）内に供給する熱風発生装置（8）と、
熱風を乾燥機本体（1A）外に排出する排風装置（9）と、
前記熱風発生装置（8）の上方に配設し、枠体（27）によって制御基盤等を囲んでなるコントロールボックス（26）と、
前記排風装置（9）の吸引作用によって、前記熱風発生装置（8）が生成した熱風を、上方に通風させる給風路（14）と、該給風路（14）に一端開口側を連通させて前記乾燥機本体（1A）の側部の一方側から他方側に向って横設した複数の加熱管（10）とを介して排風装置（9）まで通風する通風路と、を備え、
前記枠体（27）は、前記通風路における前記加熱管（10）の始端部の近傍位置に当接させるとともに、該当接部分に前記通風路と連通する連通部（29）を設ける一方、その側面には外気取入口（28）を設け、前記通風路の熱風通風による吸引作用によって、外気が前記外気取入口（28）からコントロールボックス（26）内に吸引された後に連通部（29）から通風路に排風されるようにする、という技術的手段を講じるものである。
【０００８】
よって、通風路内における排風装置の吸引作用によって、外気は、外気取入口から枠体内（コントロールボックス内）に吸引された後に連通部を通過して通風路に吸引される。よって、コントロールボックス内は外気が通風するので、制御基盤などからの放熱は通風路に吸引された前記外気に吸収されて排風されるため、コントロールボックス内が高温になることがない。
【０００９】
【００１０】
【００１１】
【発明の実施の形態】
本発明の実施の形態を図１〜図４に基づいて説明する。
【００１２】
本発明の循環式穀物乾燥機１は、上方から、穀物を貯留する貯留タンク部２、穀物を加熱させる加熱部３、穀物を乾燥させる乾燥部４及び穀物を機体外に排出する排出部が順次重設された機体１Ａ（乾燥機本体）を有する。前記機体１Ａの前面には、昇降機６が立設されており、該昇降機６は、下部の搬送始端部が前記排出部５と接続し、上部の搬送終端部が前記貯留タンク部２の上部に設けられた横搬送機７及び飛散盤（図示せず）を介して貯留タンク部２と連絡している。
【００１３】
前記機体１Ａの前面には、熱風発生装置８が設けられ、一方、前記機体１Ａの後面の側板１Ｃには、排風装置９が備えられ、給風路１６を介して前記排風路１３と排風装置９とが連通している。
【００１４】
前記加熱部３は、前記機体１Ａの前と後の各側板１Ｂ，１Ｃの間で千鳥状で横設された複数の加熱管１０…によって構成されている。該各加熱管１０…の底面には、複数の開口１０Ａ…が形成されている。
【００１５】
前記乾燥部４は、左右の穀物流下層１２，１２、左右の熱風路１１，１１及び排風路１３から構成されている。左右の穀物流下層１２，１２は、所定間隔をおいて対向させた有孔板１２Ａ，１２Ａの間によって形成されている。左右の熱風路１１，１１は、前記各穀物流下層１２，１２と前記機体１Ａの左右の各側板１Ｄ，１Ｅとの間によって形成されている。排風路１３は、前記各穀物流下層１２，１２との間によって形成されている。
【００１６】
前記各加熱管１０…は、給風路１４を介して前記熱風発生装置８と連通しており、熱風発生装置８で発生させた熱風が前記各加熱管１０…に供給されるようになっている。また、熱風が通風する各加熱管１０…の終端部は、給風路１５を介して左右の各熱風路１１，１１と連通しており、前記各加熱管１０…を通った熱風が前記各熱風路１１，１１に供給されるようになっている。
【００１７】
前記排出部５は、前記穀物流下層１２，１２の各下端部に設けた繰り出しバルブ２１，２１と、該繰り出しバルブ２１，２１の下方に設けたスクリューコンベア５Ａと、該スクリューコンベア５Ａの両側にホッパー状に形成した底板２４，２４とから構成され、繰り出しバルブ２１，２１から繰り出されて落下した穀物をスクリューコンベア５Ａによって昇降機６の下部に供給する。
【００１８】
前記給風路１４の上面には、熱風発生装置８や後述する駆動用のモータ１７，２２などを制御するコントロールボックス２６が装着されている。該コントロールボックス２６は、外気取入口２８を備えた枠体２７と、該枠体２７によって囲まれた制御基盤３０やインバータ３１などを有している。枠体２７と前記給風路１４とは、連通部２９によって連通されている。
【００１９】
前記昇降機６の上部には、該昇降機６の駆動用のモータ１７が装着されている。該モータ１７は、外気取入口１９を備えた枠体１８によって囲まれている。該枠体１８には、前記給風路１４と連通する連通部２０が接続されており、該連通部２０は、昇降機６の縦方向の側面に沿って形成されている。
【００２０】
また、機体１Ａの下部には、前記繰り出しバルブ２１，２１及びスクリューコンベア５Ａの駆動用のモータ２２が装着されている。該モータ２２は、外気取入口２３を備えた枠体３２によって囲まれている。該枠体３２には、熱風路１１と連通した連通部２５が接続されている。
【００２１】
なお、本発明でいう通風路とは、熱風発生装置８によって発生した熱風が排風装置９に吸引されるまでに通過する風路を示し、本実施の形態では、給風路１４、加熱管１０…、給風路１５、熱風路１１，１１、穀物流下層１２，１２、排風路１３及び給風路１６を示す。
【００２２】
次に、上記循環式穀物乾燥機１の作用を示す。
【００２３】
循環式穀物乾燥機１の乾燥運転が開始されると、前記熱風発生装置８、排風装置９及びモータ１７，２２が稼動する。前記熱風発生装置８で発生させられた熱風は、排風装置９の吸引作用により、給風路１４、加熱管１０…、給風路１５、熱風路１１，１１、穀物流下層１２，１２、排風路１３及び給風路１６を通過して排風装置９に吸引された後に機体１Ａ外に排風される。なお、給風路１４、加熱管１０…、給風路１５、熱風路１１，１１、穀物流下層１２，１２、排風路１３及び給風路１６内は、排風装置９の吸引作用によって負圧状態になっている。
【００２４】
また、貯留タンク部２の穀物は、穀物流下層１２，１２に流下して乾燥された後、繰り出しバルブ２１，２１から繰り出されて落下し、スクリューコンベア５Ａによって昇降機６の下部に供給される。そして、該昇降機６によって揚穀され、横搬送機７及び飛散盤（図示せず）を介して貯留タンク部２に還流される。このようにして、穀穀物乾燥機１の乾燥運転は、穀物の含水率が所定の値になるまで続ける。
【００２５】
前記給風路１４内における排風装置９の吸引作用によって、外気は、前記外気取入口２８から枠体２７内に吸引された後に連通部２９を通過して給風路１４に吸引される。よって、この外気により制御基盤３０やインバー３１が冷却されるため、コントロールボックス２６内は高温になることがない。
【００２６】
また、同じく前記給風路１４内における排風装置９の吸引作用によって、外気は、前記外気取入口１９から枠体１８内に吸引された後に連通部２０を通過して給風路１４に吸引される。よって、この外気によりモータ１７が冷却されるため、モータ１７は高温になることがない。
【００２７】
さらに、前記熱風路１１内における排風装置９の吸引作用によって、外気は、前記外気取入口２３から枠体３２内に吸引された後に連通部２５を通過して熱風路１１に吸引される。よって、この外気によりモータ２２が冷却されるため、モータ２２は高温になることがない。
【００２８】
【発明の効果】
請求項１による循環式穀物乾燥機は、熱風を乾燥機本体内に供給する熱風発生装置と、熱風を乾燥機本体外に排出する排風装置と、排風装置の吸引作用によって前記熱風発生装置が生成した熱風を通風する通風路と、枠体によって制御基盤等を囲んでなるコントロールボックスと、を備え、前記枠体には外気取入口を設けるとともに前記通風路に連通する連通部を設けて、前記通風路の熱風通風による吸引作用によって、外気が前記外気取入口からコントロールボックス内に入って連通部に排風するようにしたので、制御基盤などからの放熱は当該外気に吸収されて排風され。よって、制御基盤などが冷却されるため、コントロールボックス内が高温になることがない。これにより、コントロールボックス内にファンを装備する必要がなく、低コスト化された循環式穀物乾燥機を提供することができる。
【００２９】
【図面の簡単な説明】
【図１】  本願発明の循環式穀物乾燥機の一部が断面にされた側面図である。
【図２】  本発明の加熱部及び乾燥部を部分的に断面にした平断面図である。
【図３】  本発明のコントロールボックス２６及び給風路１４の平断面図である。
【図４】  本発明の循環式穀物乾燥機の一部が断面にされた正面図である。
【符号の説明】
１  循環式穀物乾燥機
１Ａ  機体（乾燥機本体）
１Ｂ  側板
１Ｃ  側板
１Ｄ  側板
１Ｅ  側板
２  貯留タンク部
３  加熱部
４  乾燥部
５  排出部
５Ａ  スクリューコンベア
６  昇降機
７  横搬送機
８  熱風発生装置
９  排風装置
１０  加熱管
１０Ａ  開口
１１  熱風路
１２穀物流下層
１３  排風路
１４  給風路
１５  給風路
１６  給風路
１７  モータ
１８  枠体
１９  外気取入口
２０  連通部
２１  繰り出しバルブ
２２  モータ
２３  外気取入口
２４  底板
２５  連通部
２６  コントロールボックス
２７  枠体
２８  外気取入口
２９  連通部
３０  制御基盤
３１  インバータ
３２  枠体
【図１】
0004273513.tif 000002
【図２】
0004273513.tif 000003
【図３】
0004273513.tif 000004
【図４】
0004273513.tif 000005